(57)【要約】【課題】  デジタル放送信号の送信に使用する物理チャンネルと、他のデジタル放送送信装置が使用する物理チャンネルとの混信を事前に回避、または解消することができるデジタル放送送信装置を提供する。【解決手段】  混信検出部１２によって、送信部１４がデジタル放送信号の送信に使用している物理チャンネルと、他のデジタル放送送信装置がデジタル放送信号の送信に使用している物理チャンネルとが混信状態にあるか、または混信する可能性があることが検出されると、送信物理チャンネル指定部１３によって、デジタル放送信号の送信に使用する物理チャンネルを、他の物理チャンネルに変更するように、送信部１４が指示される。これによって、送信部１４が使用する物理チャンネルと、他のデジタル放送送信装置で使用される物理チャネルとの混信を事前に回避、または解消することが可能である。【選択図】  図１
2010114720.tif 000002
【特許請求の範囲】
【請求項１】
複数のデジタル放送送信装置を有し、各デジタル放送送信装置からデジタル放送信号が送信される通信システムに備わるデジタル放送送信装置であって、
前記デジタル放送信号を送信する送信手段と、
前記送信手段が前記デジタル放送信号の送信に使用している物理チャンネルが、他のデジタル放送送信装置が前記デジタル放送信号の送信に使用している物理チャンネルと混信状態にあるか否か、または混信する可能性があるか否かを検出する混信検出手段と、
前記混信検出手段によって混信状態にあること、または混信する可能性があることが検出されたとき、前記デジタル放送信号の送信に使用する物理チャンネルを、他の物理チャンネルに変更するように前記送信手段に指示する送信物理チャンネル指定手段とを備えることを特徴とするデジタル放送送信装置。
【請求項２】
現在地域を判別する現在地域判別手段をさらに備え、
前記混信検出手段は、前記現在地域判別手段によって判別された現在地域およびその隣接地域で前記デジタル放送信号の送信に使用されている物理チャンネルの中に、前記送信手段が前記デジタル放送信号の送信に使用している物理チャンネルと同一の物理チャンネルがあるか否かを検索することによって、前記混信する可能性があるか否かを検出し、
前記送信物理チャンネル指定手段は、前記現在地域判別手段によって判別された現在地域およびその隣接地域で前記デジタル放送信号の送信に使用されている物理チャンネル以外の物理チャンネルの中から、前記他の物理チャンネルを選択することを特徴とする請求項１に記載のデジタル放送送信装置。
【請求項３】
前記現在地域判別手段は、前記通信システムで使用可能な全ての物理チャンネルのうち、現在位置で受信可能な全ての物理チャンネルで送信される前記デジタル放送信号の放送地域を現在地域と推定することを特徴とする請求項２に記載のデジタル放送送信装置。
【請求項４】
前記現在地域判別手段は、判別された現在地域に変化があるか否かを検出し、現在地域に変化があることを検出すると、現在地域を更新する旨の現在地域更新通知を前記混信検出手段に送信し、
前記混信検出手段は、前記現在地域更新通知を受信すると、前記混信状態にあるか否か、または混信する可能性があるか否かの判断を行うことを特徴とする請求項２または３に記載のデジタル放送送信装置。
【請求項５】
字幕データおよび文字スーパデータの少なくともいずれか一方を生成する字幕・文字スーパ生成手段をさらに備え、
前記送信物理チャンネル指定手段は、前記混信検出手段によって混信状態にあること、または混信する可能性があることが検出されたとき、前記送信手段に前記物理チャンネルの変更を指示する前に、前記デジタル放送信号の送信に使用される物理チャンネルの変更に関する情報を表す字幕データおよび文字スーパデータの少なくともいずれか一方を生成するように前記字幕・文字スーパ生成手段に指示することを特徴とする請求項１〜４のいずれか１つに記載のデジタル放送送信装置。
【請求項６】
前記送信手段から送信される前記デジタル放送信号の受信状況を検出する受信状況検出手段をさらに備え、
前記混信検出手段は、前記受信状況検出手段によって検出された受信状況に基づいて、前記混信状態にあるか否かを検出することを特徴とする請求項１〜５のいずれか１つに記載のデジタル放送送信装置。
【請求項７】
前記送信物理チャンネル指定手段は、前記他の物理チャンネルを、選択可能な複数の物理チャンネルの中からランダムに選択することを特徴とする請求項１〜６のいずれか１つに記載のデジタル放送送信装置。
【発明の詳細な説明】
【技術分野】
【０００１】
本発明は、デジタル放送用のコンテンツ情報を送信可能なデジタル放送送信装置に関する。
【背景技術】
【０００２】
従来技術のデジタル放送送信装置は、同一のコンテンツ情報を広い地域の多くの利用者に配信することに特化しており、駅および空港などの公共スペースにおける各種案内情報、美術館および博物館における展示物および催し物の案内情報、ならびにデパートおよびスーパなどの店舗における特売情報などのローカルな情報配信サービスを想定したものではない。
【０００３】
この改善策として、デジタル放送送信装置として、ローカルのコンテンツ情報の提供元が移動体端末装置にコンテンツ情報を伝送する情報提供装置が提案されている（たとえば、特許文献１参照）。また、個人または団体が、地上デジタルテレビ放送の部分受信の放送方式であるワンセグ放送方式のデジタル放送送信装置を利用して、通常のテレビ放送よりも極めて小さい特定の地域に限定して、独自のローカルコンテンツ情報を送信する技術が提案されている（たとえば、非特許文献１参照）。
【０００４】
【特許文献１】特開２００８−１７７８３６号公報
【非特許文献１】エリアポータル株式会社、”実績事例  独立行政法人国立西洋美術館”、”ＰＤＦダウンロード（３．２ＭＢ）”、［online］、平成１８年５月、［平成２０年９月１０日検索］、インターネット＜ＵＲＬ：http://www.areaportal.co.jp/result.html＞
【発明の開示】
【発明が解決しようとする課題】
【０００５】
特許文献１および非特許文献１に開示されている先行技術のデジタル放送送信装置では、デジタル放送送信装置が移動しながらローカルコンテンツ情報を送信することが想定されていないので、以下のような問題がある。たとえば、移動体である列車内に搭載されたデジタル放送送信装置からローカルコンテンツ情報を送信する場合には、他のデジタル放送送信装置である複数の放送局の放送地域を跨って移動するので、ローカルコンテンツ情報から成るローカル放送を送信する周波数と、放送局が放送に使用している送信周波数とが同一になるおそれがある。つまり、デジタル放送送信装置がローカル放送を送信する物理チャンネルと、放送局が放送に使用する物理チャンネルとが同一になるおそれがある。したがって、混信が発生して、受信できなくなる場合がある。
【０００６】
またデジタル放送送信装置が移動せずに固定される場合でも、放送局による放送で使用される物理チャンネルが変更された場合、または送信所の新設によって、使用される物理チャンネルが追加された場合にも、混信を避けるためにその都度、ローカル放送を送信する物理チャンネルを変更するメンテナンス作業が必要となる。
【０００７】
さらにローカル放送を送信する複数のデジタル放送送信装置が近傍に存在する場合には、互いに混信しないように物理チャンネルを事前に調整し、異なる物理チャンネルに設定する作業が必要となる。
【０００８】
特許文献１には、混信しないように放送局が使用する周波数帯域とは異なる周波数帯でローカルコンテンツ情報を放送する旨の記載があるが、混信を防ぐための詳細な技術については何ら開示されていない。
【０００９】
本発明は、デジタル放送信号の送信に使用する物理チャンネルと、他のデジタル放送送信装置が使用する物理チャンネルとの混信を事前に回避、または解消することができるデジタル放送送信装置を提供することを目的とする。
【課題を解決するための手段】
【００１０】
本発明のデジタル放送送信装置は、複数のデジタル放送送信装置を有し、各デジタル放送送信装置からデジタル放送信号が送信される通信システムに備わるデジタル放送送信装置であって、前記デジタル放送信号を送信する送信手段と、前記送信手段が前記デジタル放送信号の送信に使用している物理チャンネルが、他のデジタル放送送信装置が前記デジタル放送信号の送信に使用している物理チャンネルと混信状態にあるか否か、または混信する可能性があるか否かを検出する混信検出手段と、前記混信検出手段によって混信状態にあること、または混信する可能性があることが検出されたとき、前記デジタル放送信号の送信に使用する物理チャンネルを、他の物理チャンネルに変更するように前記送信手段に指示する送信物理チャンネル指定手段とを備えることを特徴とする。
【発明の効果】
【００１１】
本発明のデジタル放送送信装置によれば、送信手段がデジタル放送信号の送信に使用している物理チャンネルが、他のデジタル放送送信装置がデジタル放送信号の送信に使用している物理チャンネルと混信状態にあるか、または混信する可能性があることが混信検出手段によって検出されると、送信手段は、送信物理チャンネル指定手段によって、デジタル放送信号の送信に使用する物理チャンネルを、他の物理チャンネルに変更するように指示される。これによって、送信手段が使用する物理チャンネルと、他のデジタル放送送信装置で使用される物理チャンネルとの混信を事前に回避、または解消することが可能である。
【発明を実施するための最良の形態】
【００１２】
＜第１の実施の形態＞
図１は、本発明の第１の実施の形態であるローカル放送送信装置５を備える通信システム１の構成を示す図である。通信システム１は、第１放送局２、第２放送局３、第３放送局４、ローカル放送送信装置（以下「送信装置」という場合がある）５およびデジタル放送受信端末装置（以下「受信端末装置」という場合がある）６を備えて構成される。第１〜第３放送局２〜４は、それぞれ異なる物理チャンネルによって、異なる放送波をデジタル放送信号として受信端末装置６に向けて送信している。以下の説明において、第１〜第３放送局２〜４のうち不特定の放送局を示す場合、単に「放送局」という場合がある。また各放送局２〜４から放送波が送信される物理チャンネルを、「放送物理チャンネル」という場合がある。本実施の形態において、通信システム１は、第１〜第３放送局２〜４という３つの放送局を備えるが、通信システム１に備わる放送局の数は、これに限定されない。送信装置５は、デジタル放送送信装置に相当し、第１〜第３放送局２〜４は、他のデジタル放送送信装置に相当する。
【００１３】
受信端末装置６は、移動体に搭載されて用いられる端末装置、たとえばワンセグ放送の受信機を内蔵した携帯電話機、車載用デジタル放送受信機または車載用カーナビゲーションシステムによって実現される。受信端末装置６は、第１〜第３放送局２〜４から送信された各放送波、具体的にはデジタル放送信号を受信する。
【００１４】
送信装置５は、第１〜第３放送局２〜４と同一の周波数帯域、たとえば極超短波（Ultra High Frequency；略称：ＵＨＦ）帯域を用いて、第１〜第３放送局２〜４と同一の変調方式および同一の伝送フォーマットでコンテンツ情報をデジタル放送信号として送信する。また送信装置５は、第１〜第３放送局２〜４のそれぞれがコンテンツ情報を送信するときに用いている動画および音声の圧縮符号化方式と同一の方式を用いて、コンテンツ情報を送信するように構成されている。
【００１５】
送信装置５は、第１〜第３放送局２〜４に比べて、極限られた地域に限定したコンテンツ情報（以下「ローカルコンテンツ情報」という）を送信することを主目的としており、比較的微弱な送信電力でコンテンツ情報の送信を行う。したがって受信端末装置６は、送信装置５の極近傍では、送信装置５から送信されるローカルコンテンツ情報を受信することができ、さらに物理チャンネルを変えることによって、第１〜第３放送局２〜４から送信されるデジタル放送の各コンテンツ情報も受信することができる。
【００１６】
送信装置５は、列車、バスまたはタクシーなどの移動体に搭載して用いることが可能であり、移動しながら、移動体に搭乗している利用者に受信端末装置６を介してローカルコンテンツ情報を提供する。したがって送信装置５は、移動体の移動に伴って各放送局２〜４の放送地域を跨ぎ、新たな放送地域に移動する場合が多々ある。この場合、送信装置５が放送地域の変更前までにローカルコンテンツ情報を送信していた物理チャンネルが、新たな放送地域の放送局の放送物理チャンネルと同一になる可能性がある。放送地域の変更前までに送信していた物理チャンネルが新たな放送地域の放送局の放送物理チャンネルと同一になると、混信してしまうので、利用者はコンテンツ情報を視聴することができなくなるという問題が生じる。この問題を解決するために、本実施の形態の送信装置５では、混信を事前に回避可能な構成になっている。
【００１７】
具体的には、送信装置５は、図１に示すように、現在地域判別部１１、混信検出部１２、送信物理チャンネル指定部１３および送信部１４を備えて構成される。現在地域判別部１１は、現在地域判別手段に相当し、混信検出部１２は、混信検出手段に相当し、送信物理チャンネル指定部１３は、送信物理チャンネル指定手段に相当し、送信部１４は、送信手段に相当する。
【００１８】
現在地域判別部１１は、デジタル放送が伝送される全帯域、たとえばＵＨＦ帯域について、放送局の全てのチャンネルを順次選局して、送信装置５の位置で受信できるチャンネルを検出する、いわゆるチャンネルスキャンを行い、受信可能な放送波であるトランスポートストリーム（Transport Stream；略称：ＴＳ）を監視する。現在地域判別部１１は、検出したＴＳで伝送されるセクション情報の解析を行い、得られたセクション情報を逐次記憶する。また現在地域判別部１１は、デジタル放送が伝送される全帯域のチャンネルスキャンが完了した地点で検出したＴＳのセクション情報から、現在位置を推定し、現在地域を推定する。以上のようにして現在地域判別部１１は、現在地域を判別する。放送地域境界付近では、異なる放送地域の放送波が受信されることもあるので、推定した現在地域は複数の放送地域となることもある。
【００１９】
混信検出部１２は、現在地域判別部１１によって推定された現在地域（以下「推定現在地域」という場合がある）から、推定現在地域およびその隣接地域で使用されている物理チャンネルの中に、現在、送信装置５がデジタル放送信号の送信に使用している物理チャンネルと同一の物理チャンネルがあるか否かを検索し、混信の可能性があるか否かを検出する。混信検出部１２は、混信の可能性があることを検出すると、混信の可能性がある旨の情報を送信物理チャンネル指定部１３に与える。
【００２０】
送信物理チャンネル指定部１３は、混信検出部１２から与えられる前記混信の可能性がある旨の情報に基づいて、推定現在地域で使用されていない物理チャンネルを選択して、選択した物理チャンネルに送信物理チャンネルを変更するように指示する旨の情報（以下「物理チャンネル変更指示情報」という）を送信部１４に与える。この選択された物理チャンネルは、他の物理チャンネルに相当する。送信部１４は、送信物理チャンネル指定部１３から与えられる物理チャンネル変更指示情報に基づいて、送信物理チャンネルを、指定された物理チャンネルに切換える。
【００２１】
図２は、送信装置５における現在地域判別部１１、混信検出部１２および送信部１４の詳細な構成を示すブロック図である。図３は、検出ＴＳリストのデータ構造を示す図である。図４は、周波数リストのデータ構造を示す図である。
【００２２】
現在地域判別部１１は、図２に示すように、受信アンテナ２１、受信部２２、直交波周波数分割多重（Orthogonal Frequency Division Multiplexing；略称：ＯＦＤＭ）復調部２３、デマルチプレクス部２４、セクションデータ解析部２５、検出ＴＳリスト記憶部２６、スキャンチャンネル指示部２７および現在地域推定処理部２８を備えて構成される。受信アンテナ２１は、前述の図１では、理解を容易にするために、現在地域判別部１１の外部、さらに述べると送信装置５の外部に記載しているが、実際には図２に示すように、送信装置５を構成する現在地域判別部１１に含まれる。
【００２３】
受信部２２は、受信アンテナ２１を介して、各放送局２〜４または送信部１４から送信されたデジタル放送信号を受信し、その受信したデジタル放送信号から特定の周波数の信号を抽出する。受信部２２が、前記受信したデジタル放送信号のうちのいずれの周波数の信号を抽出するかは、後述するスキャンチャンネル指示部２７によって制御される。換言すれば、受信部２２は、スキャンチャンネル指示部２７から与えられる所定の制御信号に基づいて、前記特定の周波数の信号を抽出する。前記特定の周波数は、デジタル放送信号に含まれる複数のチャンネルのうち、いずれかのチャンネルの周波数であり、前記特定の周波数の信号を抽出することは、物理チャンネルを選局することを意味する。受信部２２は、受信アンテナ２１を介して受信したデジタル放送信号から抽出した特定の周波数の信号をＯＦＤＭ復調部２３に与える。
【００２４】
ＯＦＤＭ復調部２３は、受信部２２から与えられる信号の復調および誤り訂正を行い、ＴＳを出力する。ＯＦＤＭ復調部２３は、出力したＴＳをデマルチプレクス部２４に与える。またＯＦＤＭ復調部２３は、受信Ｃ／Ｎ比（Carrier to Noise ratio：搬送波電力対雑音電力比）情報、ＰＬＬ（Phase Locked Loop）ロック情報、フレームロック情報、および誤り率情報の各種情報のうちの少なくともいずれか１つを出力して、スキャンチャンネル指示部２７または混信検出部１２の混信判別処理部３１に与える。
【００２５】
デマルチプレクス部２４は、まず、ＯＦＤＭ復調部２３から与えられるＴＳから番組特定情報（Program Specific Information；略称：ＰＳＩ）および番組配列情報（サービス情報：Service Information；略称：ＳＩ）を抽出する。その後、デマルチプレクス部２４は、抽出したＰＳＩおよび／またはＳＩ（以下「ＰＳＩ／ＳＩ」という場合がある）から、ＴＳ中の映像ＴＳパケットおよび音声ＴＳパケットのＴＳパケット識別子（Packet Identifier；略称：ＰＩＤ）の値を検出し、ＴＳを各ＰＩＤでフィルタリングして映像ＴＳパケットおよび音声ＴＳパケットを分離させて抽出する。デマルチプレクス部２４は、映像ＴＳパケットおよび音声ＴＳパケットを、セクションデータ解析部２５に与える。またデマルチプレクス部２４は、ＯＦＤＭ復調部２３から与えられるＴＳをセクションデータ解析部２５に与える。
【００２６】
セクションデータ解析部２５は、デマルチプレクス部２４から与えられるＴＳの各セクション情報を解析し、その解析結果に基づいて、検出したＴＳ（以下「検出ＴＳ」という場合がある）に関する情報を検出ＴＳリストとして、検出ＴＳリスト記憶部２６に記憶させる。具体的には、検出ＴＳリスト記憶部２６は、検出できた各ＴＳについて、図３に示すように、検出したＴＳの識別子であるＴＳ識別子（略称：ＴＳ＿ＩＤ）と、それに対応する物理チャンネルと、その放送地域とを関連付けて、検出ＴＳリストとして記憶する。放送地域は、検出したＴＳのセクション情報から抽出され、たとえばネットワーク情報テーブル（Network Information Table；略称：ＮＩＴ）の地上分配システム記述子のエリアコードから取得される。セクションデータ解析部２５は、ＴＳが検出でき、かつ検出ＴＳリスト記憶部２６に検出ＴＳリストを記憶したとき、ＴＳが検出でき、かつ検出ＴＳリスト記憶部２６に検出ＴＳリストを記憶した旨の情報（以下「ＴＳリスト記憶完了情報」という）をスキャンチャンネル指示部２７に与える。
【００２７】
スキャンチャンネル指示部２７は、所定の物理チャンネルでローカルコンテンツ情報を送信しているとき、デジタル放送が伝送される全帯域をチャンネルスキャンするために、選局するべき物理チャンネルを指示する制御信号を受信部２２に与える。この制御信号を受信すると、受信部２２は、制御信号で指示された物理チャンネルの選局を行う。
【００２８】
スキャンチャンネル指示部２７は、セクションデータ解析部２５からＴＳリスト記憶完了情報が与えられた場合、次に選局するべき他の物理チャンネルを指示する制御信号を受信部２２に与えることによって、他の物理チャンネルのスキャンを行う。
【００２９】
またスキャンチャンネル指示部２７は、ＯＦＤＭ復調部２３から与えられた各種情報に基づいて、チューナがロックできなかった、またはチューナのロックがはずれたと判断したとき、具体的には、ＰＬＬロックまたはフレームロックができなかった、またははずれたと判断したとき、次に選局するべき物理チャンネルを指示する制御信号を受信部２２に与える。このようにしてデジタル放送が伝送される全帯域の物理チャンネルのチャンネルスキャンが完了すると、スキャンチャンネル指示部２７は、全ての帯域の物理チャンネルのチャンネルスキャンが完了した旨の通知（以下「全チャンネルスキャン完了通知」という）を現在地域推定処理部２８に送信する。
【００３０】
現在地域推定処理部２８は、検出ＴＳリスト記憶部２６に記憶されている検出ＴＳリストを参照して、検出した各ＴＳの放送地域を現在地域と推定する。現在地域推定処理部２８は、推定現在地域に変化があるとき、現在位置を更新する旨の通知（以下「現在位置更新通知」という）を、後述する混信検出部１２の混信判別処理部３１に与える。現在地域推定処理部２８は、受信部２２がチャンネルスキャンの最初の物理チャンネルを選局する直前に、検出ＴＳリスト記憶部２６に記憶される検出ＴＳリストの内容を消去する。
【００３１】
混信検出部１２は、図２に示すように、混信判別処理部３１および周波数リスト記憶部３２を備えて構成される。周波数リスト記憶部３２は、図４に示すように、放送地域毎に、放送されているＴＳ識別子（略称：ＴＳ＿ＩＤ）と、それに対応する物理チャンネルとを相互に関連付けて、周波数リストとして記憶する。周波数リストは、デジタル放送によってカルーセル方式で送信される全地域の周波数リスト情報に基づいて作成され、予め定める時間の経過時に最新の周波数リストに更新される。ここで、カルーセル方式とは、複数種類のコンテンツ情報を送信するときに、同じデータを一定周期毎に繰返し送信するデータ送信方式である。周波数リストの更新方法は、前述の方法に限らず、ネットワーク経由での更新、またはメモリカードなどの蓄積メディア経由での更新でもよい。
【００３２】
送信部１４は、図２に示すように、字幕・文字スーパ生成部４１、セクションデータ生成部４２、データ放送コンテンツ記憶部４３、映像・音声コンテンツ記憶部４４、マルチプレクス部４５、ＯＦＤＭ変調部４６、送信処理部４７および送信アンテナ４８を備えて構成される。送信アンテナ４８は、前述の図１では、理解を容易にするために、送信部１４の外部、さらに述べると送信装置５の外部に記載しているが、実際には図２に示すように、送信装置５を構成する送信部１４に含まれる。
【００３３】
字幕・文字スーパ生成部４１は、送信物理チャンネルの切換えを、切換え前に利用者である視聴者に字幕または文字スーパによって通知する。具体的には、字幕・文字スーパ生成部４１は、デジタル放送信号の送信に使用される物理チャンネルの変更に関する情報、たとえば送信物理チャンネルが切換えられることを表す字幕データまたは文字スーパデータを生成し、生成した字幕データまたは文字スーパデータを、送信アンテナ４８を介して送信することによって、利用者である視聴者に、送信物理チャンネルが切換えられることを通知する。字幕・文字スーパ生成部４１は、字幕データおよび文字スーパデータの両方を生成して送信するように構成されてもよい。
【００３４】
セクションデータ生成部４２は、送信物理チャンネル情報のＮＩＴへの反映、ならびに映像・音声コンテンツ記憶部４４およびデータ放送コンテンツ記憶部４３に記憶されているコンテンツ情報の多重のためのＰＩＤ情報などのセクションデータを生成する。
【００３５】
マルチプレクス部４５は、映像・音声コンテンツ記憶部４４およびデータ放送コンテンツ記憶部４３から与えられるコンテンツ情報、およびセクションデータ生成部４２から与えられるセクションデータ、ならびに字幕・文字スーパ生成部４１から与えられる字幕および文字スーパなどを多重化してＴＳを生成する。マルチプレクス部４５は、生成したＴＳをＯＦＤＭ変調部４６に与える。
【００３６】
ＯＦＤＭ変調部４６は、マルチプレクス部４５で生成されたＴＳをＯＦＤＭ変調する。具体的に述べると、ＯＦＤＭ変調部４６は、図示は省略するが、逆フーリエ変換（略称：ＩＦＦＴ）部と、並直列変換部とを有する。ＩＦＦＴ部は、周波数領域を時間領域に変換する処理、具体的には、マルチプレクス部４５から与えられ、セクタ毎に配備される周波数軸上に配置された信号を逆フーリエ変換する。並直列変換部は、ＩＦＦＴ部で逆フーリエ変換された信号を並直列変換することによって、時系列信号であるＯＦＤＭ信号に変換する。ＯＦＤＭ変調部４６は、ＯＦＤＭ信号を送信処理部４７に与える。
【００３７】
送信処理部４７は、ＯＦＤＭ変調部４６から与えられたＯＦＤＭ信号をアップコンバートして、送信アンテナ４８を介して受信端末装置６に送信する。
【００３８】
図５は、現在地域推定処理部２８の動作の処理手順を示すフローチャートである。図５に示すフローチャートの現在地域推定処理部２８の処理は、ローカル放送送信装置５に電力が供給されているときに、繰返し実行される。図５に示すフローチャートでは、ローカル放送送信装置５の電源が投入されたときに本処理を開始し、ステップａ１に移行する。
【００３９】
ステップａ１では、現在地域推定処理部２８は、スキャンチャンネル指示部２７から送信された全チャンネルスキャン完了通知を受信しているか否かを判断する。ステップａ１において、全チャンネルスキャン完了通知を受信していると判断すればステップａ２に移行し、全チャンネルスキャン完了通知を受信していないと判断すれば、受信するまで待機する。
【００４０】
ステップａ２では、現在地域推定処理部２８は、検出ＴＳリスト記憶部２６に記憶されている検出ＴＳリストを参照して、ステップａ３に移行する。ステップａ３では、現在地域推定処理部２８は、検出ＴＳリストに基づいて、検出した各ＴＳの放送地域を現在地域と推定して、ステップａ４に移行する。
【００４１】
ステップａ４では、現在地域推定処理部２８は、ステップａ３で推定した現在地域（以下「推定現在地域」という場合がある）に変化があるか否かを判断する。ステップａ４において、推定現在地域に変化があると判断すればステップａ５に移行し、変化がないと判断すればステップａ１に戻る。
【００４２】
ステップａ５では、現在地域推定処理部２８は、現在地域を更新する旨の通知（以下「現在地域更新通知」という）を混信検出部１２の混信判別処理部３１に送信する。ステップａ５の処理の終了後は、再度ステップａ１に戻り、前述の処理を繰返し行う。
【００４３】
図６は、混信検出部１２の動作の処理手順を示すフローチャートである。図６に示すフローチャートの混信検出部１２の処理は、ローカル放送送信装置５に電力が供給されているときに、繰返し実行される。図６に示すフローチャートでは、ローカル放送送信装置５の電源が投入されたときに本処理を開始し、ステップｂ１に移行する。図６に示すフローチャートの混信検出部１２の処理は、より詳細には、混信検出部１２の混信判別処理部３１によって実行される。
【００４４】
ステップｂ１では、混信判別処理部３１は、現在地域判別部１１の現在地域推定処理部２８から送信された現在地域更新通知を受信しているか否かを判断する。ステップｂ１において、混信判別処理部３１が現在地域更新通知を受信していると判断すればステップｂ２に移行し、現在地域更新通知を受信していないと判断すれば、受信するまで待機する。
【００４５】
ステップｂ２では、混信判別処理部３１は、周波数リスト記憶部３２に記憶されている周波数リストを参照して、ステップｂ３に移行する。
【００４６】
ステップｂ３では、混信判別処理部３１は、推定現在地域およびそれらの隣接地域で使用されている放送物理チャンネルを把握し、これらの放送物理チャンネルの中に、送信装置５で現在使用されている送信物理チャンネルと同一のものが存在するか否かを判断する。これによって混信判別処理部３１は、送信装置５で現在使用されている送信物理チャンネルと、推定現在地域およびそれらの隣接地域で使用されている放送物理チャンネルとが混信する可能性があるか否かを判断する。ステップｂ３において、前記送信物理チャンネルと同一のものが存在すると判断された場合は、混信する可能性があると判断されてステップｂ４に移行し、前記送信物理チャンネルと同一のものが存在しないと判断された場合は、混信する可能性がないと判断されてステップｂ１に戻る。
【００４７】
ステップｂ４では、混信判別処理部３１は、送信物理チャンネルを変更する旨の通知（以下「送信物理チャンネル変更通知」という）を送信物理チャンネル指定部１３に送信する。また混信判別処理部３１は、推定現在地域で使用されている放送物理チャンネルを送信物理チャンネル指定部１３に通知する。ステップｂ４の処理の終了後は、再度ステップｂ１に戻り、前述の処理を繰返し行う。
【００４８】
図７は、送信物理チャンネル指定部１３の動作手順を示すフローチャートである。図７に示すフローチャートの送信物理チャンネル指定部１３の処理は、ローカル放送送信装置５に電力が供給されているときに、繰返し実行される。図７に示すフローチャートでは、ローカル放送送信装置５の電源が投入されたときに本処理を開始し、ステップｃ１に移行する。
【００４９】
ステップｃ１では、送信物理チャンネル指定部１３は、混信検出部１２の混信判別処理部３１から送信された送信物理チャンネル変更通知を受信しているか否かを判断する。ステップｃ１において、送信物理チャンネル指定部１３が送信物理チャンネル変更通知を受信していると判断すればステップｃ２に移行し、送信物理チャンネル変更通知を受信していないと判断すれば、受信するまで待機する。
【００５０】
ステップｃ２では、送信物理チャンネル指定部１３は、混信検出部１２の混信判別処理部３１から通知された推定現在地域で使用されている放送物理チャンネル以外の物理チャンネルの中から、変更先の送信物理チャンネルを選択し、送信部１４のセクションデータ生成部４２および送信処理部４７に与える。送信物理チャンネル指定部１３は、選択候補である、推定現在地域で使用されている放送物理チャンネル以外の物理チャンネルの中から、たとえば任意の物理チャンネルを、送信物理チャンネルとして選択する。ステップｃ２の処理後は、ステップｃ３に移行する。
【００５１】
ステップｃ３では、送信物理チャンネル指定部１３は、送信物理チャンネルを変更する旨の事前の通知（以下「送信物理チャンネル事前変更通知」という）を送信部１４の字幕・文字スーパ生成部４１に与えて、ステップｃ４に移行する。字幕・文字スーパ生成部４１は、送信物理チャンネル事前変更通知を受信すると、送信物理チャンネルが切換えられることを表す字幕データまたは文字スーパデータとして、たとえば、変更される送信物理チャンネル情報および変更時刻を表す情報の字幕データまたは文字スーパデータを生成し、予め定める字幕データまたは文字スーパデータに載せて、マルチプレクス部４５、ＯＦＤＭ変調部４６、送信処理部４７および送信アンテナ４８を介して送信することによって、利用者である視聴者に受信端末装置６においてチャンネルの切換えが必要なことを通知する。
【００５２】
ステップｃ４では、送信物理チャンネル指定部１３は、内蔵するタイマから与えられる計時情報に基づいて、予め定める時間が経過しているか否かを判断し、経過していればステップｃ５に移行し、経過していなければ経過するまで待機する。
【００５３】
ステップｃ５では、送信物理チャンネル指定部１３は、送信物理チャンネルを実際に変更するために、送信物理チャンネルを変更する旨の通知（以下「送信物理チャンネル変更通知」という）を送信部１４のセクションデータ生成部４２および送信処理部４７に与える。セクションデータ生成部４２は、送信物理チャンネル変更通知を受信すると、ＮＩＴの地上分配システム記述子の送出周波数の記載を更新し、送信処理部４７が送信物理チャンネル変更通知を受信して送信物理チャンネルの変更が完了するタイミングで、前記変更したＮＩＴを送信する。また送信処理部４７は、送信物理チャンネル変更通知を受信すると、使用する送信物理チャンネルを、送信物理チャンネル指定部１３から与えられた送信物理チャンネルに変更してＯＦＤＭ信号をアップコンバートし、送信アンテナ４８を介して送信する。ステップｃ５の処理の終了後は、再度ステップｃ１に戻り、前述の処理を繰返し行う。
【００５４】
ここで、ステップｃ２における物理チャンネルの選択方法について説明する。本実施の形態では、周波数リスト記憶部３２に記憶される周波数リストには、他のローカル放送が使用している物理チャンネルが含まれていない。したがって、送信物理チャンネル指定部１３によって選択される新たな送信物理チャンネルと、他の送信装置から放送される他のローカル放送が使用している送信物理チャンネルとが同一の物理チャンネルとなり、送信装置５によるローカル放送と、他のローカル放送とが混信するおそれがある。たとえば、送信装置５の送信物理チャンネル指定部１３および他の送信装置５の送信物理チャンネル指定部がいずれも、選択候補の物理チャンネルの中から、最小番号の物理チャンネルを選択してしまうと、いずれの送信装置５も再び混信してしまうことになる。これを回避するために、本実施の形態の送信物理チャンネル指定部１３は、推定現在地域で放送に使用されている物理チャンネル以外の物理チャンネルの中から、ランダムに、すなわち任意に１つを選択するように構成されている。
【００５５】
また、混信検出部１２の周波数リスト記憶部３２に記憶される周波数リストの最新版への更新が遅れたときは、周波数リストに記載されている物理チャンネル以外の物理チャンネルでも他のＴＳが送信されている可能性がある。そのような場合に対応するために、現在地域判別部１１は以下の処理をする。まず、送信部１４から送信されるローカル放送の物理チャンネルも監視対象とし、その物理チャンネルで受信するＴＳのパケットエラーが増大した場合には、ＯＦＤＭ復調部２３が混信と判断し、ＯＦＤＭ復調部２３から混信判別処理部３１経由で送信物理チャンネル指定部１３に混信通知を通知する。この場合、受信部２２は受信状況検出手段として機能し、ＯＦＤＭ復調部２３は混信検出手段として機能する。
【００５６】
送信物理チャンネル指定部１３は、現在地域判別部１１から与えられる混信通知を受信すると、物理チャンネルを変更し、前述したように送信物理チャンネル事前変更通知および送信物理チャンネル変更通知を送信部１４に送信し、送信物理チャンネルを、混信のない物理チャンネルに変更する。この場合は、既に混信状態となっているので、利用者である視聴者に物理チャンネル変更の通知ができない可能性が高い。したがって、送信物理チャンネル事前変更通知を行わず、即座に送信物理チャンネル変更通知を送信するように構成してもよい。
【００５７】
以上のように本実施の形態のローカル放送送信装置５によれば、混信検出部１２によって、送信部１４がデジタル放送信号の送信に使用している物理チャンネルと、通信システム１に備わる他のデジタル放送送信装置である第１〜第３放送局２〜４がデジタル放送信号の送信に使用している物理チャンネルとが混信する可能性があるか否かが検出される。混信する可能性があることが検出されると、送信部１４は、送信物理チャンネル指定部１３によって、デジタル放送信号の送信に使用する物理チャンネルを他の物理チャンネルに変更するように指示される。これによって、送信部１４が使用する物理チャンネルと、第１〜第３放送局２〜４で使用される物理チャンネルとの混信を事前に回避することが可能である。
【００５８】
また本実施の形態のローカル放送送信装置５は、現在地域判別部１１によって、第１〜第３放送局２〜４で常時放送されている他のＴＳの使用物理チャンネルを監視し、各検出ＴＳから得られる各エリアコードから、エリアコードが示す放送地域を現在地域と推定し、推定した現在地域とそれらの隣接地域で使用されている物理チャンネルを混信検出部１２によって周波数リストから取得し、それらの物理チャンネル以外の物理チャンネルでローカルサービスを送信するように送信物理チャンネル指示部１１によって送信部１４が指示されるように構成される。したがって、本実施の形態のローカル放送送信装置５が移動体に搭載されて、第１〜第３放送局２〜４の放送地域を跨ぐような場合でも、混信を事前に回避することができる。
【００５９】
また本実施の形態では、推定した現在地域内の物理チャンネルだけではなく、その隣接地域の物理チャンネルも送信物理チャンネルに使用しないように構成されるので、送信装置５が放送地域を跨いでローカルコンテンツ情報を送信しながら移動していく場合に、現在地域の隣接地域で使用されている物理チャンネルを事前に使用しないようにすることができる。これによって、混信発生を未然に防ぐことができる。
【００６０】
また本実施の形態の送信装置５は、移動体に搭載される場合以外に、設置場所が固定される場合にも有効である。たとえば第１〜第３放送局２〜４の放送物理チャンネルの変更、または送信所としてのデジタル放送送信装置の新設などによって、通信システム１で使用される物理チャンネルが追加された場合に、ローカルサービスの送信物理チャンネルを手動で変更する必要が無く、メンテナンス作業が不要となる。これによって、利用者のメンテナンス作業に要する負担を解消することができる。
【００６１】
また本実施の形態のローカル放送送信装置５によれば、ローカル放送を送信する他のローカル放送送信装置が近傍に存在する場合でも、混信を事前に回避することができる。したがって、互いに混信しないように物理チャンネルを事前に調整する必要がなく、異なる物理チャンネルに設定する作業が不要となるので、利用者のメンテナンス作業に要する負担を解消することができる。
【００６２】
また本実施の形態では、送信物理チャンネルの変更の前に、予め定める時間、字幕または文字スーパによって、送信に使用される物理チャンネルの変更に関する情報、具体的には、切換えられる物理チャンネルとその切換え時刻を送信するように構成されるので、利用者である視聴者に事前に送信物理チャンネルの変更を告知することができ、物理チャンネル変更後の視聴者の混乱を避けることができる。
【００６３】
また本実施の形態では、受信部２２およびＯＦＤＭ復調部２３によって、送信装置５がローカルコンテンツ情報を送信している物理チャンネルを定期的に監視し、受信ＴＳのパケットエラーレートが増大した場合に、ＯＦＤＭ復調部２３によって混信と判断して、送信物理チャンネルの変更を指示するように構成されているので、周波数リストの最新版への更新が遅れた場合、および周波数リスト記憶部３２が存在しない場合でも、ローカル放送と第１〜第３放送局２〜４などによる放送（以下「通常放送」という場合がある）との混信、および送信装置５によるローカル放送と他の送信装置によるローカル放送との混信が続く状況を解消することができる。したがって、メンテナンス作業を不要にすることができる。
【００６４】
また本実施の形態では、送信物理チャンネル指示部１３は、混信判別処理部１２から通知された送信物理チャンネルの選択候補の中から、ランダムに、すなわち任意に１つを選択するように構成されている。送信物理チャンネル指示部１３は、選択候補の物理チャンネルの中から、最小番号の物理チャンネルを選択するように構成されてもよいが、本実施の形態のようにランダムに物理チャンネルを選択するように構成されることが好ましい。ランダムに選択するように構成することによって、互いのローカル放送送信装置が切換える送信物理チャンネルが同一になる確率を低減することができるので、再び混信する確率を低減することが可能である。
【００６５】
また本実施の形態では、現在地域判別部１１は、チャンネルスキャンによって、受信できた各ＴＳのセクション情報から求められる各放送地域から現在地域を推定するように構成されているので、全地球測位システム（Global Positioning System；略称：ＧＰＳ）が使用できない場合でも、混信する可能性がある物理チャンネルを避けて、ローカルコンテンツ情報の送信が可能である。
【００６６】
また本実施の形態では、現在地域判別部１１によって、判別された現在地域に変化があることが検出されると、混信検出部１２に現在地域更新通知が送信される。この現在地域更新通知を受信すると、混信検出部１１は、送信装置５で使用されている送信物理チャンネルと、他のデジタル放送送信装置、たとえば第１〜第３放送局２〜４で使用されている放送物理チャンネルとが混信状態にあるか否か、または混信する可能性があるか否かを検出する。
【００６７】
これによって、現在地域が更新される度に、たとえば送信装置５が放送地域を跨って移動する度に、混信状態にあるか否か、または混信する可能性があるか否かを検出して、混信が発生しないような送信物理チャンネルに変更することが可能である。したがって、送信装置５が移動体に搭載されて、第１〜第３放送局２〜４の放送地域を跨いで移動するような場合に、より確実に混信を回避することができる。
【００６８】
＜第２の実施の形態＞
図８は、本発明の第２の実施の形態のローカル放送送信装置５０の構成を示すブロック図である。本実施の形態のローカル放送送信装置５０の構成は、前述の図２に示す第１の実施の形態のローカル放送送信装置５の構成と類似しているので、異なる部分についてのみ説明し、対応する部分には同一の参照符を付して共通する説明を省略する。
【００６９】
本実施の形態の送信装置５０は、第１の実施の形態の送信装置５の現在地域判別部１１に代えて、ＧＰＳアンテナ５１および現在位置検出部５２を備えて構成されるとともに、第１の実施の形態の送信装置５と同様に、混信検出部１２、送信物理チャンネル指定部１３および送信部１４を備えて構成される。ＧＰＳアンテナ５１および現在位置検出部５２は、現在地域判別手段に相当する。
【００７０】
現在位置検出部５２は、ＧＰＳアンテナ５１を介して、不図示のＧＰＳ用衛星から送信される複数の電波信号を受信する。現在位置検出部５２は、受信した複数の電波信号に基づいて、送信装置５０の現在位置を検出する。現在位置検出部５２は、検出した現在位置に基づいて、現在地域およびその隣接地域を決定する。現在位置検出部５２は、決定した現在地域およびその隣接地域を表す情報を混信検出部１２に与える。
【００７１】
混信検出部１２は、現在位置検出部５２から与えられる現在地域およびその隣接地域を表す情報から、現在地域およびその隣接地域で使用されている物理チャンネルの中に、現在、送信装置５が送信に使用している物理チャンネルである送信物理チャンネルと同一の物理チャンネルがあるか否かを検索して、混信の可能性があるか否かを検出する。本実施の形態の送信装置５０における混信検出部１２のその他の動作は、第１の実施の形態の送信装置５における混信検出部１２の動作と同一である。また送信物理チャンネル指定部１３および送信部１４の構成および動作は、第１の実施の形態の送信装置５における送信物理チャンネル指定部１３および送信部１４と同一である。
【００７２】
以上のように本実施の形態の送信装置５０によれば、第１の実施の形態の送信装置５と同様に、混信検出部１２によって、送信部１４が使用する送信物理チャンネルと、第１〜第３放送局２〜４で使用される放送物理チャンネルまたは他のローカル放送送信装置で使用される送信物理チャンネルとが混信する可能性があることが検出されると、送信物理チャンネル指定部１３によって、デジタル放送信号の送信に使用する物理チャンネルを他の物理チャンネルに変更するように送信部１４が指示される。したがって、第１の実施の形態の送信装置５と同様に、送信部１４が使用する送信物理チャンネルと、第１〜第３放送局２〜４で使用される放送物理チャンネルおよび他のローカル放送送信装置で使用される送信物理チャンネルとの混信を事前に回避することが可能である。
【００７３】
また本実施の形態によれば、ＧＰＳアンテナ５１および現在位置検出部５２によって、送信装置５０の現在位置を検出して現在地域を判別し、判別された現在地域およびその隣接地域で使用されている物理チャンネル以外の物理チャンネルを送信物理チャンネルとするように送信物理チャンネル指示部１１によって送信部１４が指示される。これによって、本実施の形態の送信装置５０が移動体に搭載されて、第１〜第３放送局２〜４の放送地域を跨いで移動するような場合でも、第１の実施の形態の送信装置５と同様に、混信を事前に回避することができる。
【００７４】
また本実施の形態では、ＧＰＳアンテナ５１および現在位置検出部５２によって、送信装置５０の正確な現在位置を把握することができるので、第１の実施の形態のように、前述の図５に示す現在地域推定処理部２８による動作処理を実行する必要がない。
【００７５】
また送信装置５０の正確な現在位置を把握できることによって、現在地域およびその隣接地域を正確に決定することができるので、前述の第１の実施の形態に比べて、現在地域およびその隣接地域で使用されている物理チャンネルをより正確に把握することができる。したがって、ローカルコンテンツ情報の送信に使用する送信物理チャンネルとして選択可能な物理チャンネルの候補から、使用可能な物理チャンネルを外してしまうことを防ぐことができるので、送信物理チャンネルの候補を増やすことができるという利点がある。
【００７６】
また送信装置５０は、カーナビゲーション装置のようにＧＰＳアンテナ５１によって現在位置を表す位置情報を把握する手段が予め搭載されていれば、現在位置推定処理が不要となるので、送信装置５０をさらに簡単な構成で実現することが可能となる。これによって送信装置５０の製造コストの低減を図ることが可能となる。
【００７７】
＜第３の実施の形態＞
図９は、本発明の第３の実施の形態のローカル放送送信装置６０の構成を示すブロック図である。本実施の形態のローカル放送送信装置６０の構成は、前述の図２に示す第１の実施の形態のローカル放送送信装置５の構成と類似しているので、異なる部分についてのみ説明し、対応する部分には同一の参照符を付して共通する説明を省略する。
【００７８】
本実施の形態の送信装置６０は、受信アンテナ２１、受信部２２、ＯＦＤＭ復調部２３、送信物理チャンネル指定部１３および送信部１４を備えて構成される。換言すれば、本実施の形態の送信装置６０は、前述の第１の実施の形態の送信装置５の構成から、デマルチプレクス部２４、セクションデータ解析部２５、検出ＴＳリスト記憶部２６、スキャンチャンネル指示部２７、現在地域推定処理部２８、および混信検出部１２を除いた構成になっている。本実施の形態では、受信部２２は受信状況検出手段として機能し、ＯＦＤＭ復調部２３は混信検出手段として機能する。
【００７９】
以上のように本実施の形態の送信装置６０には、デマルチプレクス部２４、セクションデータ解析部２５、検出ＴＳリスト記憶部２６、スキャンチャンネル指示部２７、現在地域推定処理部２８、および混信検出部１２が存在しないので、前述の図５〜図７に示すフローチャートの各処理は実行されない。
【００８０】
本実施の形態では、送信物理チャンネル指定部１３は、混信の監視のために、送信処理部４７に指示した送信物理チャンネルと同一の物理チャンネルを受信部２２に通知する。これによって、送信処理部４７に指示した送信物理チャンネルと同一の物理チャンネルを選局した状態にして、ＯＦＤＭ復調部２３によって、受信部２２で受信したＴＳのパケットエラーレートを監視する。受信部２２で受信したＴＳのパケットエラーが増大した場合には、ＯＦＤＭ復調部２３は混信と判断し、送信物理チャンネル指定部１３に、混信していることを表す情報（以下「混信情報」という）を通知する。
【００８１】
送信物理チャンネル指定部１３は、ＯＦＤＭ復調部２３から混信情報が通知されると、それまで使用していた送信物理チャンネルと異なる物理チャンネルを選択し、第１の実施の形態と同様に送信物理チャンネル変更通知を送信部１４に送信し、送信物理チャンネルを混信のない物理チャンネルに変更する。送信物理チャンネル指定部１３は、選択する物理チャンネルとして、それまで使用していた送信物理チャンネルと異なる物理チャンネルをランダムに選択するように構成されてもよい。これによって、本実施の形態の送信装置６０間の混信の場合に、互いに同一物理チャンネルを選択してしまう確率を低減することができる。この場合は、既に混信状態となっているので、利用者である視聴者に物理チャンネル変更の告知ができない可能性が高いので、送信物理チャンネル事前変更通知を行わずに、即座に送信物理チャンネル変更通知を送信する。
【００８２】
以上のように本実施の形態の送信装置６０によれば、ＯＦＤＭ復調部２３によって、送信部１４が使用する送信物理チャンネルと、第１〜第３放送局２〜４で使用される放送物理チャンネルまたは他のローカル放送送信装置で使用される送信物理チャンネルとが混信状態にあることが検出されると、送信物理チャンネル指定部１３によって、デジタル放送信号の送信に使用する物理チャンネルを他の物理チャンネルに変更するように送信部１４が指示される。したがって、送信部１４が使用する送信物理チャンネルと、第１〜第３放送局２〜４で使用される放送物理チャンネルおよび他のローカル放送送信装置で使用される送信物理チャンネルとの混信を解消することが可能である。
【００８３】
また本実施の形態によれば、ＯＦＤＭ復調部２３によって混信の有無を直接検出するので、第１の実施の形態における現在地域判別部１１による現在位置推定処理、および第２の実施の形態における現在位置検出部５２による現在位置検出処理が不要であり、最小限の機能で構成することができ、製造コストの低減化が期待できる。また本実施の形態では、前述の第１および第２の実施の形態のように混信を事前に回避することは難しいが、混信の発生を検出した後、即座に送信物理チャンネルを変更し、混信を解消することが可能であるので、第１および第２の実施の形態と同様に、メンテナンス作業が不要となる。
【００８４】
また送信物理チャンネル指定部１３で選択する物理チャンネルを、それまで使用していた送信物理チャンネルと異なる物理チャンネルをランダムに選択するようにしたので、本実施の形態の送信装置６０が複数台近傍に存在する場合でも、これら送信装置６０の送信物理チャンネルで混信が発生したとき、混信の発生後に各送信装置６０で選択し直される物理チャンネルが、同一の物理チャンネルとなる確率を低減することができる。
【図面の簡単な説明】
【００８５】
【図１】本発明の第１の実施の形態であるローカル放送送信装置５を備える通信システム１の構成を示す図である。
【図２】送信装置５における現在地域判別部１１、混信検出部１２および送信部１４の詳細な構成を示すブロック図である。
【図３】検出ＴＳリストのデータ構造を示す図である。
【図４】周波数リストのデータ構造を示す図である。
【図５】現在地域推定処理部２８の動作の処理手順を示すフローチャートである。
【図６】混信検出部１２の動作の処理手順を示すフローチャートである。
【図７】送信物理チャンネル指定部１３の動作手順を示すフローチャートである。
【図８】本発明の第２の実施の形態のローカル放送送信装置５０の構成を示すブロック図である。
【図９】本発明の第３の実施の形態のローカル放送送信装置６０の構成を示すブロック図である。
【符号の説明】
【００８６】
１  通信システム、２  第１放送局、３  第２放送局、４  第３放送局、５，５０，６０  ローカル放送送信装置、６  デジタル放送受信端末装置、１１  現在地域判別部、１２  混信検出部、１３  送信物理チャンネル指定部、１４  送信部、２２  受信部、２３  ＯＦＤＭ復調部、２４  デマルチプレクス部、２５  セクションデータ解析部、２６  検出ＴＳリスト記憶部、２７  スキャンチャンネル指示部、２８  現在地域指定処理部、３１  混信判別処理部、３２  周波数リスト記憶部、４１  字幕・文字スーパ生成部、４２  セクションデータ生成部、４３  データ放送コンテンツ記憶部、４４  映像・音声コンテンツ記憶部、４５  マルチプレクス部、４６  ＯＦＤＭ変調部、４７  送信処理部、５１  ＧＰＳアンテナ。
【図１】
2010114720.tif 000003
【図２】
2010114720.tif 000004
【図３】
2010114720.tif 000005
【図４】
2010114720.tif 000006
【図５】
2010114720.tif 000007
【図６】
2010114720.tif 000008
【図７】
2010114720.tif 000009
【図８】
2010114720.tif 000010
【図９】
2010114720.tif 000011